(57)【要約】【課題】  画像再生時のユーザの観察状態を判断することで無駄な画像再生を停止させるとともに、この画像再生に起因する電力の消耗を抑える。【解決手段】  観察者の頭部に装着される装着部と、観察者の頭部に装着部が装着されたときに、該観察者の眼前に配置される画像表示部と、画像表示部における画像表示中に、観察者の少なくとも一方の瞼の開閉動作を検出する動作検出部と、動作検出部における瞼の開閉動作の検出数から、画像表示部における画像表示が観察されているか否かを判断する判断手段と、判断手段により画像表示部における画像表示が観察されていないと判断されたことを受けて、画像表示部における画像表示を停止する表示停止手段と、を備えたことを特徴とする。【選択図】    図３
2009081529.tif 000002
【特許請求の範囲】
【請求項１】
観察者の頭部に装着される装着部と、
前記観察者の頭部に前記装着部が装着されたときに、該観察者の眼前に配置される画像表示部と、
前記画像表示部における画像表示中に、前記観察者の少なくとも一方の瞼の開閉動作を検出する動作検出部と、
前記動作検出部における瞼の開閉動作の検出数から、前記画像表示部における画像表示が観察されているか否かを判断する判断手段と、
前記判断手段により前記画像表示部における画像表示が観察されていないと判断されたことを受けて、前記画像表示部における画像表示を停止する表示停止手段と、
を備えたことを特徴とするヘッドマウントディスプレイ装置。
【請求項２】
請求項１記載のヘッドマウントディスプレイ装置において、
前記判断手段は、前記動作検出部における瞼の開閉動作の検出数から得られる単位時間あたりの開閉動作数が予め設定された基準数を超過した場合に、前記画像表示部における画像表示が観察されていないと判断することを特徴とするヘッドマウントディスプレイ装置。
【請求項３】
請求項１又は２に記載のヘッドマウントディスプレイ装置において、
前記画像表示部における画像表示が観察されていないと判断されたときに、前記画像表示部における画像表示を一時的に停止させる一時停止手段と、
前記一時停止手段により前記画像表示部における画像表示が一時的に停止された後に、前記観察者に対して警告動作を実行する警告手段と、
を備えていることを特徴とするヘッドマウントディスプレイ装置。
【請求項４】
請求項３記載のヘッドマウントディスプレイ装置において、
前記警告手段は、記画像表示部における画像表示を引き続き行うか否かを前記観察者に促す画像を前記画像表示部に表示することで、前記警告動作を実行することを特徴とするヘッドマウントディスプレイ装置。
【請求項５】
請求項３又は４記載のヘッドマウントディスプレイ装置において、
前記装着部は、前記観察者への装着時に該観察者の耳部に当接される耳当て部と、該耳当て部に設けられ、前記画像表示部における画像表示とともに音声を出力する音声出力部とを備えており、
前記警告手段は、前記音声出力部を用いて警告音を出力することで、前記警告動作を実行することを特徴とするヘッドマウントディスプレイ装置。
【請求項６】
請求項３〜５のいずれか１項に記載のヘッドマウントディスプレイ装置において、
前記画像表示部における画像表示の開始時、又は画像表示の停止時に操作される操作部を備えており、
前記表示停止手段は、前記警告手段による警告動作が行われてから所定時間内に前記操作部の操作が行われないときに、前記画像表示部における画像表示を停止することを特徴とするヘッドマウントディスプレイ装置。
【請求項７】
請求項１〜６いずれか１項に記載のヘッドマウントディスプレイ装置において、
前記表示停止手段によって画像表示が停止されてから、さらに一定時間経過したときに、装置各部への給電が停止されることを特徴とするヘッドマウントディスプレイ装置。
【発明の詳細な説明】
【技術分野】
【０００１】
本発明は、ユーザの頭部に装着して、ユーザの視野に画像を表示するヘッドマウントディスプレイ装置に関する。
【背景技術】
【０００２】
ユーザの頭部に装着して、表示される静止画や動画などを視聴するヘッドマウントディスプレイ装置が知られている。このようなヘッドマウントディスプレイ装置は、ユーザの頭部に装着される装着部と、ユーザの眼前に配置される画像表示部とを備えており、画像表示部によって表示される画像をユーザの眼前で結像させることで、ユーザに画像を観察させている。また、このようなヘッドマウントディスプレイ装置では、装着部に設けられたスピーカなどによって、画像表示部の画像表示に合わせて出力される音声を聴くことができる（特許文献１）。
【特許文献１】特開２００４−２３６１８７号公報
【発明の開示】
【発明が解決しようとする課題】
【０００３】
このようなヘッドマウントディスプレイ装置においては、ユーザによる停止操作が行われない限り、画像が再生され続けるのが一般的である。例えば動画を再生しているときにユーザが不意に寝てしまった場合、ユーザが目覚めたときには、ユーザが視聴していない箇所まで動画再生が進んでいたり、動画再生が最後まで進んでしまうことになる。このような場合、動画再生を不必要に行うことから、ヘッドマウントディスプレイ装置の電力を無駄に消耗させてしまうことになる。
【０００４】
本発明は、上記問題に鑑みてなされたものであり、画像再生時のユーザの観察状態を判断することで無駄な画像再生を停止させるとともに、この画像再生に起因する電力の消耗を抑えることができるようにしたヘッドマウントディスプレイ装置を提供することを目的とする。
【課題を解決するための手段】
【０００５】
第１の発明のヘッドマウントディスプレイ装置は、観察者の頭部に装着される装着部と、前記観察者の頭部に前記装着部が装着されたときに、該観察者の眼前に配置される画像表示部と、前記画像表示部における画像表示中に、前記観察者の少なくとも一方の瞼の開閉動作を検出する動作検出部と、前記動作検出部における瞼の開閉動作の検出数から、前記画像表示部における画像表示が観察されているか否かを判断する判断手段と、前記判断手段により前記画像表示部における画像表示が観察されていないと判断されたことを受けて、前記画像表示部における画像表示を停止する表示停止手段と、を備えたことを特徴とする。
【０００６】
また、第２の発明は、第１の発明において、前記判断手段は、前記動作検出部における瞼の開閉動作の検出数から得られる単位時間当たりの開閉動作数が予め設定された基準数を超過した場合に、前記画像表示部における画像表示が観察されていないと判断することを特徴とする。
【０００７】
また、第３の発明は、第１又は第２の発明において、前記画像表示部における画像表示が観察されていないと判断されたときに、前記画像表示部における画像表示を一時的に停止させる一時停止手段と、前記一時停止手段により前記画像表示部における画像表示が一時的に停止された後に、前記観察者に対して警告動作を実行する警告手段と、を備えていることを特徴とする。
【０００８】
また、第４の発明は、第３の発明において、前記警告手段は、記画像表示部における画像表示を引き続き行うか否かを前記観察者に促す画像を前記画像表示部に表示することで、前記警告動作を実行することを特徴とする。
【０００９】
また、第５の発明は、第３又は第４の発明において、前記装着部は、前記観察者への装着時に該観察者の耳部に当接される耳当て部と、該耳当て部に設けられ、前記画像表示部における画像表示とともに音声を出力する音声出力部とを備えており、前記警告手段は、前記音声出力部を用いて警告音を出力することで、前記警告動作を実行することを特徴とする。
【００１０】
また、第６の発明は、第３〜第５の発明のいずれかにおいて、前記画像表示部における画像表示の開始時、又は画像表示の停止時に操作される操作パネルを備えており、前記表示停止手段は、前記警告手段による警告動作が行われてから所定時間内に前記操作パネルの操作が行われないときに、前記画像表示部における画像表示を停止することを特徴とする。
【００１１】
また、第７の発明は、第１〜第６の発明のいずれかにおいて、前記表示停止手段によって画像表示が停止されてから、さらに一定時間経過したときに、装置各部への給電が停止されることを特徴とする。
【発明の効果】
【００１２】
本発明によれば、観察者の瞼の開閉動作を確認することで、例えばユーザが居眠り状態に入りそうな時には再生表示を停止させることで、視聴されてない再生表示を中止させることができ、無駄な電力の消耗を抑制することができる。
【発明を実施するための最良の形態】
【００１３】
図１及び図２に示すように、ヘッドマウントディスプレイ装置１０は、装置本体１１と、ターミナル１２とから構成されており、装置本体１１とターミナル１２とはケーブル１５などにより接続される。なお、図１及び図２のヘッドマウントディスプレイ装置１０の構成は、その一例であり、図の形態に限定されるものではなく、装置本体１１にターミナル１２が設けられているヘッドマウントディスプレイ装置であってもよい。
【００１４】
装置本体１１は、湾曲形状からなる伸縮自在のバンド２０と、バンド２０の両端に設けられる耳当て部２１，２２とを備えている。なお、バンド２０を湾曲形状とすることで、装置本体１１をユーザの頭部に装着したときに、バンド２０の付勢力によって耳当て部２１，２２がユーザの耳部にそれぞれ当接される。耳当て部２１，２２には、それぞれスピーカ２３，２４が内蔵され、後述する画像表示部２６の画像表示に合わせて音声が出力される。耳当て部２２には、支持部２５を介して画像表示部２６が設けられている。
【００１５】
画像表示部２６は、ＬＣＤ３０と、拡大光学系３１と、瞼開閉検出部３２とを備えている。このＬＣＤ３０による画像は拡大光学系３１により拡大され、ユーザの左眼の眼前で結像される。なお、本実施形態では、ユーザの左眼の眼前で画像を結像する画像表示部としているが、これに限定されるものではなく、ユーザの両眼の眼前で画像を結像する画像表示部であってもよい。
【００１６】
瞼開閉検出部３２は、照明光をユーザの眼に照射する発光部３２ａと、眼で反射した照明光を受光する受光部３２ｂとから構成されている。例えば瞼が開いているときには、照明光は眼で反射するため、受光部３２ｂにおける照明光の受光量は小さくなる。一方、瞼が閉じているときには、照明光は瞼によって反射するが、その反射率が眼の反射率よりも大きいため、受光部３２ｂにおける受光量は大きくなる。この受光部３２ｂにおける受光量の変化を利用して瞼の開閉動作を検出する。
【００１７】
ターミナル１２は、ＬＣＤ３０に画像信号を出力するとともに、スピーカ２３，２４に音声信号を出力する。このターミナル１２には、操作パネル３５が設けられており、この操作パネル３５の操作を受けて、ＬＣＤ３０における画像表示やスピーカ２３，２４における音声の出力が制御される。なお、ターミナル１２に操作パネル３５を設けた実施形態としているが、これに限定される必要はなく、例えば、ターミナルとは別に、操作部を設けたり、装置本体に操作パネルを設けることも可能である。
【００１８】
図３は、ヘッドマウントディスプレイ装置１０の電気的構成を示すブロック図である。ターミナル１２は、動作制御用コントローラ４０、再生制御用コントローラ４１を備えている。動作制御用コントローラ４０は、不図示のＣＰＵ、ＲＯＭ及びＲＡＭを含んで構成され、ヘッドマウントディスプレイ装置１０の各部を統括的に制御する。この動作制御用コントローラ４０には、操作パネル３５が電気的に接続されており、操作パネル３５の操作に基づいて、ヘッドマウントディスプレイ装置１０が制御される。また、動作制御用コントローラ４０には、瞼開閉検出部３２が電気的に接続されており、この瞼開閉検出部３２からの電気信号に基づいた処理が実行される。なお、符号４２は、ヘッドマウントディスプレイ装置１０の各部に給電を行う電源部である。なお、この電源部４２としては、電池等の直流電源が挙げられる。
【００１９】
再生制御用コントローラ４１は、不図示のＣＰＵ、ＲＯＭ及びＲＡＭを含んで構成され、画像表示部２６のＬＣＤ３０における表示制御を行う。このＬＣＤディス３０における表示制御とは、例えばＬＣＤ３０の液晶板３０ａの制御及びバックライト３０ｂの点灯制御が挙げられる。この他に、再生制御用コントローラ４１は、スピーカ２３，２４における音声の出力制御を行う。なお、符号４５は、ＬＣＤ３０のドライバであり、符号４６はスピーカ２３，２４のドライバである。
【００２０】
情報記憶部４７は、例えば光学ディスクや、磁気ディスクや、不揮発メモリなどから構成されている。この情報記憶部４７は、静止画及び動画などの画像データや、音声データからなるコンテンツ情報が単数、又は複数記憶され、そのいずれかのコンテンツ情報が再生制御用コントローラ４１によって読み出される。なお、この情報記憶部４７は、ターミナル１２に内蔵されていても、ターミナル１２に対して着脱自在であってもよい。
【００２１】
次に、本実施形態における処理の流れを図４のフローチャートに基づいて説明する。ステップＳ１は、操作パネル３５による再生操作が行われたか否かを判断する処理である。つまり、操作パネル３５は動作制御コントローラ４０と電気的に接続されていることから、操作パネル３５により再生操作が実行されると、その操作信号が動作制御コントローラ４０に入力される。この操作信号を受けて、動作制御コントローラ４０は、再生操作が行われたと判断し、ステップＳ２に進む。一方、このステップＳ１において操作パネル３５による再生操作が行われてないと判断された場合には、ステップＳ１の処理が引き続き行われる。
【００２２】
ステップＳ２に進むと、画像表示及び音声の出力を開始する処理である。ステップＳ１において操作パネル３５における再生操作が行われたことが判断されていることから、動作制御コントローラ４０は、再生制御コントローラ４１に再生開始信号を出力する。これを受けて、再生制御コントローラ４１は、情報記憶部４７から該当するコンテンツ情報を読み出す。読み出されたコンテンツ情報である画像データと音声データとは画像信号及び音声信号にそれぞれ変換された後、ドライバ４５，４６にそれぞれ出力される。これにより、画像表示部２６のＬＣＤ３０に画像が表示され、スピーカ２３，２４から画像に合わせた音声が出力される。このステップＳ２の処理の後、ステップＳ３〜Ｓ７までの処理が実行される。
【００２３】
ステップＳ３は、瞼の開閉動作の検出を開始する処理である。つまり、このステップＳ３においては、瞼開閉検出部３２が作動され、その発光部３２ａからユーザの瞳に向けて照明光が照射される。そして、その反射光を受光部３２ｂにて受光する。この処理の後、ステップＳ４に進む。
【００２４】
ステップＳ４は、瞼の開閉動作の検出する処理である。動作制御コントローラ４０には、瞼開閉検出部３２の受光部３２ｂからの受光信号が入力されていることから、この受光信号を用いて、瞼の開閉動作を検出する。つまり、瞼が開いている場合には、受光部３２ｂからの受光信号の値は小さく、瞼が閉じられると、受光部３２ｂからの受光信号の値が変動し、その値が大きくなる。この受光信号の値が変動することを利用して、瞼の開閉動作を検出する。
【００２５】
ステップＳ５は、瞼の開閉動作検出されたときに、その検出数をカウントする処理である。
【００２６】
ステップＳ６は、ステップＳ５においてカウントされた検出数から、単位時間当たりの開閉動作数Ｎを算出する処理である。単位時間当たりの開閉動作数Ｎの算出方法としては、以下の方法が挙げられる。再生開始信号が動作制御コントローラ４０から再生制御コントローラ４１に再生開始信号が出力されたときに、動作制御コントローラ４０に設けられたタイマ（図示省略）を作動させる。そして、動作制御コントローラ４０は、再生開始信号が出力されてから瞼の開閉動作が行われるまでの時間を求め、カウントされた検出数を求めた時間で割ることで単位時間当たりの開閉動作数（例えば１分当たりの開閉動作数）Ｎを算出する。この単位時間当たりの開閉動作数Ｎは、瞼の開閉動作が検出される度に算出される。単位時間当たりの開閉動作数Ｎを算出する処理が実行されると、ステップＳ７に進む。なお、単位時間当たりの開閉動作数Ｎとしては、上述した方法で算出する他に、例えば１分間毎にカウントされる開閉動作の検出数を単位時間当たりの開閉動作数Ｎとしてもよい。
【００２７】
ステップＳ７は、単位時間当たりの開閉動作数Ｎが基準数Ｎ０を超過しているか否かが動作制御コントローラ４０にて判断する処理である。ユーザが睡眠状態に入る直前には、瞼の開閉動作数が多くなることから、このステップＳ７の処理を行うことによって、ユーザが睡眠状態に入る直前であるか否かを判断することができる。例えば単位時間当たりの開閉動作数Ｎが予め設定された基準数Ｎ０を超過している（Ｎ＞Ｎ０）場合には、ユーザが睡眠状態に入る直前であり、表示される画像を視聴していないと判断し、ステップＳ８に進む。一方、単位時間当たりの開閉動作数Ｎが基準数Ｎ０以下となる（Ｎ≦Ｎ０）場合には、ユーザが睡眠状態に入る直前ではなく、表示される画像を視聴していると判断し、ステップＳ４に進む。なお、基準数は予め実験などから求められた値を用いればよい。
【００２８】
ステップＳ８は、ステップＳ７において、単位時間当たりの開閉動作数Ｎが基準数Ｎ０を超過していると判定された場合に、画像表示及び音声出力を一時停止する処理である。つまり、ステップＳ７において、単位時間当たりの開閉動作数Ｎが基準数Ｎ０を超過していると判定された場合に、動作制御コントローラ４０は、再生制御コントローラ４１に向けて一時停止信号を出力する。これを受けて、再生制御コントローラ４１は、画像表示、及び音声の出力、つまり再生を一時停止する。
【００２９】
ステップＳ９は、ＬＣＤ３０に警告表示を行う処理である。再生制御コントローラ４１には予め警告表示となる画像データ(警告画像データ)が記憶されており、再生制御コントローラ４１は一時停止信号に基づいて再生を一時停止した後で、この警告画像データを読み出し、警告画像信号としてドライバ４５に出力する。これを受けて、ＬＣＤ３０において警告表示が実行される。なお、この警告表示としては、例えば「再生を止めますか？」などの表示が挙げられる。この警告表示が行われたときには、再生制御コントローラ４１から動作制御コントローラ４０に向けて警告開始信号が出力される。この警告表示が行われると、ステップＳ１０に進む。なお、この警告表示は、ステップＳ１０の処理が行われている間も引き続き実行される。
【００３０】
ステップＳ１０は、ＬＣＤ３０における警告表示が行われた後の基準時間Ｔ１内に操作パネル３５の操作が実行されたか否かを判断する処理である。ステップＳ１０において、再生制御コントローラ４１から動作制御コントローラ４０に警告開始信号が出力されることを受けて、動作制御コントローラ４０は図示しないタイマを作動させる。そして、例えば基準時間Ｔ１が経過するまでの間に操作パネル３５からの操作信号が入力されない場合に、操作パネル３５が操作されていないと判断する。この場合、ステップＳ１１に進む。一方、基準時間Ｔ１が経過するまでの間に操作パネル３５からの操作信号が入力された場合には、操作パネル３５が操作されたと判断する。この場合、ステップＳ１５に進み、操作パネル３５の操作に基づいた処理が実行される。なお、この基準時間Ｔ１は、少なくとも操作パネル３５の操作を行うことができる時間であればよい。
【００３１】
ステップＳ１１は、ステップＳ１０で、基準時間Ｔ１が経過するまでの間に操作パネル３５が操作されていないと判断された場合、動作制御コントローラ４０からドライバ４５に対して消灯信号が出力される。この消灯信号を受けて、ドライバ４５は、ＬＣＤ３０のバックライト３０ｂを消灯する。
【００３２】
ステップＳ１２は、基準時間Ｔ１経過後、さらに基準時間Ｔ２（０＜Ｔ２＜Ｔ１）が経過するまでの間に操作パネル３５が操作されたか否かを判断する処理である。基準時間Ｔ２が経過するまでの間に操作パネル３５からの動作制御コントローラ４０に入力されていない場合、操作パネル３５が操作されていないと判断され、ステップＳ１３に進む。一方、基準時間Ｔ２が経過するまでの間に操作パネル３５からの動作制御コントローラ４０に入力された場合、操作パネル３５が操作されたと判断され、ステップＳ１５に進む。
【００３３】
ステップＳ１３は、一時停止された画像表示及び音声の出力を自動停止させる処理である。つまり、ステップＳ１２において、基準時間Ｔ２が経過するまでの間に操作パネル３５が操作されていないと判断された場合、動作制御コントローラ４０から再生制御コントローラ４１に向けて自動停止信号が出力される。この自動停止信号を受けて、再生制御コントローラ４１は、一時停止された再生処理を完全に停止させる。この処理が実行された後、ステップＳ１４に進む。
【００３４】
ステップＳ１４は、ヘッドマウントディスプレイ装置１０のオフ処理である。再生制御コントローラ４１により再生処理が完全に停止されると、再生制御コントローラ４１は、動作制御コントローラ４０に対して、停止完了信号を出力する。これを受けて、電源部４５によるヘッドマウントディスプレイ装置１０の各部への給電が停止させる。これにより、ヘッドマウントディスプレイ装置１０がオフとなる。
【００３５】
ステップＳ１５は、ステップＳ１０で基準時間Ｔ１が経過するまでの間に操作パネル３５の操作が実行されたと判断された場合や、ステップＳ１２で基準時間Ｔ２が経過するまでの間に操作パネル３５の操作が実行された場合に行われる処理である。例えば操作パネル３５によって停止操作が行われた場合には、その旨の操作信号が動作制御コントローラ４０に入力される。これを受けて、動作制御コントローラ４０は再生制御コントローラ４１に再生停止信号を出力する。この再生停止信号に基づいて、再生制御コントローラ４１は、ドライバ４５，４６を介して画像表示や音声の出力を完全に停止させる。
【００３６】
これにより、動画などを視聴しているユーザが睡眠状態に入る直前であると判断され、停止操作を所定時間内に行わなければ、自動的に画像の再生が停止されるので、画像再生が無駄に行われなくなる。このため、画像再生時の電力消費を抑えることができる。また、画像を一時停止させた後告表示を行うことで、ユーザに注意を促すことができる。
【００３７】
本実施形態では、ＬＣＤ３０に警告表示を行うことで、ユーザに注意を促すようにしているが、これに限定される必要はなく、例えば警告音の出力を行うことも可能である。図５は、警告音を出力する場合についての処理の流れを示すフローチャートである。なお、この場合、ヘッドマウントディスプレイ装置１０の構成は本実施形態と同一の構成であることから、同一の符号にて説明する。また、ステップＳ２１〜Ｓ２８については、本実施形態のステップＳ１〜Ｓ８と同一の処理内容であるため、ここでは、説明を省略する。
【００３８】
ステップＳ２８において画像表示及び音声出力を停止する処理が実行されると、ステップＳ２９に進む。
【００３９】
ステップＳ２９は、警告音を出力する処理である。再生制御コントローラ４１には、予めアラーム音を出力する際のアラーム音声データが記憶されており、再生制御コントローラ４１は、このアラーム音声データを音声信号としてドライバ４６に出力する。これにより、スピーカ２３，２４からアラーム音などの警告音が出力される。再生制御コントローラ４１は、音声信号の出力とともに、警告開始信号を動作制御コントローラ４０に出力する。
【００４０】
ステップＳ３０は、スピーカ２３，２４からアラーム音が出力されてから基準時間Ｔ３経過したときに、操作パネル３５が操作されたか否かを判断する処理である。動作制御コントローラ４０は、警告開始信号を受けてタイマを作動させて、経過時間Ｔ３経過するまでの間に操作パネル３５からの操作信号が入力されたか否かによって、操作パネル３５が操作されたか否かを判断する。なお、操作パネル３５の操作が行われたと判断された場合にはステップＳ３１に進み、停止パネル３５の操作が行われたと判断された場合にはステップＳ３５に進む。
【００４１】
ステップＳ３１は、一時停止されている画像表示及び音声出力を自動停止させる処理である。ステップＳ３０にて操作パネル３５が操作されたか否かが判断されている例えば操作パネル３５により停止操作が行われると、操作パネル３５から動作制御コントローラに向けて停止操作信号が出力される。停止操作信号を受けて、動作制御コントローラ４０は、再生制御コントローラ４１に再生停止信号を出力する。再生制御コントローラ４１は、ドライバ４５，４６を介して、一時停止された画像表示及び音声出力を完全に停止させる。
【００４２】
ステップＳ３２は、ヘッドマウントディスプレイ装置１０のオフ処理である。再生制御コントローラ４１により再生処理が完全に停止されると、再生制御コントローラ４１は、動作制御コントローラ４０に対して、停止完了信号を出力する。これを受けて、電源部４５によるヘッドマウントディスプレイ装置１０の各部への給電が停止させる。これにより、ヘッドマウントディスプレイ装置１０がオフとなる。
【００４３】
ステップＳ３５は、ステップＳ３０で操作パネル３５が操作されたと判断された場合に、アラーム音の再生を停止する処理である。この処理が行われた後、操作パネル３５が操作されると、操作パネル３５の操作に応じた処理が行われる。
【００４４】
なお、このアラーム音の出力と、本実施形態の警告表示とは、それぞれ別個の機能として使用することができるとともに、これら機能を組み合わせることも可能である。つまり、単位時間当たりの開閉動作数Ｎが基準数Ｎ０を超過した場合に、アラーム音を出力した後、警告表示を行うようにすることも可能である。また、上記のステップで出力されるアラーム音は、連続的に出力しても良いし、断続的に出力しても良い。
【００４５】
本実施形態では、ヘッドマウントディスプレイ装置が自動的にオフ処理された後、再度、再生処理を行う場合については記載していないが、例えば再生処理が開始されてから単位時間当たりの開閉動作数Ｎが基準数Ｎ０を超過するまでの経過時間を計測し、ユーザが同じコンテンツ情報を再生する際に、その経過時間に該当する箇所から再生することも可能である。また、この他に、経過時間から所定時間を差し引いた時間、つまり、経過時間の所定時間前から同一のコンテンツ情報を再生させることも可能である。このように経過時間から所定時間前の箇所から同一のコンテンツ情報を再生させることで、ユーザの記憶を呼び起こさせ、コンテンツ再生時の違和感を抑止することができる。なお、ステップＳ１５及びステップＳ３５において、再生続行の操作が選択された場合も、同様の処理を適用してもよい。
【００４６】
本実施形態では、ＬＣＤのバックライトを消灯した後、さらに一定時間経過したときにヘッドマウントディスプレイ装置自体をオフにしているが、これに限定する必要はなく、ヘッドマウントディスプレイ装置自体をオフにする必要はなく、ＬＣＤのバックライトを消灯した状態で保持させておくことも可能である。つまり、ＬＣＤのバックライトを点灯させた場合の電力消費量は大きいことから、ＬＣＤディスのバックライトをしょうとするだけでも電力消費を抑えることが可能である。
【００４７】
また、本実施形態では、瞼検出を再生開始後から実行しているが、電源投入後のメニュー表示時など、再生動作以外の動作が行われることを契機として瞼検出及び警告動作などを実行するようにしてもよい。
【図面の簡単な説明】
【００４８】
【図１】本発明のヘッドマウントディスプレイ装置の構成を示す斜視図である。
【図２】画像表示部の構成を示す説明図である。
【図３】ヘッドマウントディスプレイ装置の電気的構成を示す機能ブロック図である。
【図４】画像表示が実行されているときの処理の流れを示すフローチャートである。
【図５】ユーザが催眠状態に入る直前に警告音を出力する場合のフローチャートである。
【符号の説明】
【００４９】
１０…ヘッドマウントディスプレイ装置、１１…装置本体、１２…ターミナル、２６…画像表示部、２３，２４…スピーカ、３０…ＬＣＤ、３０ａ…液晶板、３０ｂ…バックライト、３２…瞼開閉検出部、３５…操作パネル、４０…動作制御用コントローラ、４１…再生制御用コントローラ
【図１】
2009081529.tif 000003
【図２】
2009081529.tif 000004
【図３】
2009081529.tif 000005
【図４】
2009081529.tif 000006
【図５】
2009081529.tif 000007